(57)【要約】【目的】  材質の異なる相反した特性のものを適度に組み合わせることによって、歯間部や歯と歯茎の境目の清掃能力が高く、かつ歯茎を傷つけないソフト感があり、しかも使用上十分な弾力性と耐久性に優れた歯ブラシを提供することを目的とするものである。【構成】  毛先がテーパー加工された合成樹脂製のフィラメントを束ねて毛束とし、該毛束をヘッド部の植毛面に植毛した歯ブラシにおいて、この歯ブラシが材質の異なる２種類以上のフィラメントを混毛してなる歯ブラシ。【選択図】  図1
2006034647.tif 000002
【特許請求の範囲】
【請求項１】
毛先がテーパー加工された合成樹脂製のフィラメントを束ねて毛束とし、該毛束をヘッド部の植毛面に植毛した歯ブラシにおいて、この歯ブラシが材質の異なる２種類以上のフィラメントを混毛してなることを特徴とする歯ブラシ。
【請求項２】
前記合成樹脂製の毛の材質として、少なくともポリアミド製のフィラメントを含む請求項１記載の歯ブラシ。
【請求項３】
前記合成樹脂製の毛の材質として、ポリアミド製とポリエステル製の繊維を用いた請求項１、或いは、請求項２に記載の歯ブラシ。
【請求項４】
前記ポリアミド製のフィラメントの繊維太さが０．２０ｍｍ〜０．２５ｍｍであり、また、ポリエステル製のフィラメントの繊維太さが０．１６〜０．２１ｍｍであることを特徴とする請求項３記載の歯ブラシ。
【請求項５】
前記ポリアミド製のフィラメントが２０重量％〜８０重量％であり、また、ポリエステル製のフィラメントが２０重量％〜８０重量％であることを特徴とする請求項３、或いは、請求項４に記載の歯ブラシ。
【発明の詳細な説明】
【技術分野】
【０００１】
本発明は、毛先がテーパー加工された合成樹脂製のフィラメントを束ねて毛束とし、該毛束をヘッド部の植毛面に植毛した歯ブラシに関するものである。
【背景技術】
【０００２】
従来、ブラシ用素材は、その衛生面や加工性により、合成樹脂製の素材を用いられるのが一般的である。しかしながら、ナイロン繊維からなる刷毛を植毛した歯ブラシは、基本的に吸湿しやすく、その吸湿後にソフト感はあるものの、毛の弾性が低く腰が弱いため歯垢を掻き取る力が不十分であり、また、耐久性が低いといった欠点があった。かかるナイロンに変わる素材としては、例えば特開昭６０−４５６０６号公報に開示されているようにポリブチレンテレフタレートを毛材として用いることで、耐久性は良いものの、吸湿性が低いため弾性が非常に強くハードなものであり、それ故に、歯を磨いたときに、歯茎に痛みを感じさせてしまったり、ややもすると、歯茎に傷を付けてしまったりしていた。
また、毛先が歯と歯や、歯と歯茎の境目の凹部に入るように、その毛先をテーパー状に加工した歯ブラシが知られているが、このテーパー部の長さはほぼ1ｍｍ程度と短いため、清掃能力やソフト感が向上するには至らず、毛先がラウンド状（直線状）の刷毛とほとんど効果の差がなかった。
しかしながら、合成樹脂製のフィラメントを化学処理することによりテーパー部を長く先鋭化した刷毛を植毛したブラシも知られているが、化粧用や洗顔用に発明されたものとなっている(実開昭５７-１２９３４号公報、実開昭５７-６５６３２号公報)。
【特許文献１】特開昭６０−４５６０６号公報。
【特許文献２】実開昭５７-１２９３４号公報。
【特許文献３】実開昭５７-６５６３２号公報。
【発明の開示】
【発明が解決しようとする課題】
【０００３】
ところが、これらの刷毛類は、天然獣毛が専ら使用されていた刷毛類の刷毛を、毛先が先鋭化されたテーパー刷毛に置き換えることにより、手触りや耐久性、衛生面等を改良した発明であった。しかし、これらのテーパー刷毛は、化粧用や洗顔用に発明されているため、そのまま歯ブラシ用に植毛しても柔らか過ぎて、通常の非テーパー刷毛の歯ブラシに比べて清掃効果を著しく落としてしまう。ここで、適度の刷毛の硬さを得るために前記テーパー刷毛の最大外径部を太くすることも考えられるが、毛先が硬くなってしまい歯茎を傷めたりする等の問題が発生してしまう。
【課題を解決するための手段】
【０００４】
本発明は、材質の異なる相反した特性のものを適度に組み合わせることによって、上記問題を解決するものであり、歯間部や歯と歯茎の境目等に十分に毛先が届き、清掃効果が高く、かつ歯茎を傷つけないソフト感があり、しかも使用上十分な弾力性と耐久性に優れた歯ブラシを提供することを課題とするものであり、その要旨を「毛先がテーパー加工された合成樹脂製のフィラメントを束ねて毛束とし、該毛束をヘッド部の植毛面に植毛した歯ブラシにおいて、この歯ブラシが材質の異なる２種類以上のフィラメントを混毛してなることを特徴とする歯ブラシ。」とする。
【発明の効果】
【０００５】
本発明は、毛先がテーパー加工された合成樹脂製のフィラメントを束ねて毛束とし、該毛束をヘッド部の植毛面に植毛した歯ブラシにおいて、この歯ブラシが材質の異なる２種類以上のフィラメントを混毛してなることを特徴としているので、１種のフィラメントが歯間部や歯と歯茎の境目の清掃能力高めると共に、歯茎への接触感もソフトで使用感に優れたものとなし、一方、他種のフィラメントが使用上十分な弾力性と耐久性を良くし、その結果、これらの異種の材質からなるフィラメントによって、歯間部や歯と歯茎の境目等の清掃の能力が高く、また、ソフト感に優れ、使用上十分な弾力性と耐久性に優れた歯ブラシが得られる。
特に、前記材質をポリアミド製のフィラメントとポリエステル製のフィラメントとした場合には、前記の相乗効果が顕著となる。即ち、ポリアミド製のフィラメントが清掃能力を著しく高めると共に、歯茎への接触感を良好なものとし、一方、ポリエステル製のフィラメントが使用上十分な弾力性と耐久性を付与する。
【発明を実施するための最良の形態】
【０００６】
以下、本発明について説明する。図１において、参照符号１は歯ブラシの刷毛であり、この刷毛１は、ヘッド部５の植毛面の固定孔５ａに挿入固定され、あおのヘッド部５は軸６の端面に挿入固定され、歯ブラシを構成している。また、刷毛1は、先端をテーパー加工したポリアミド製のフィラメント２と先端をテーパー加工したポリエステル製のフィラメント３とを用いて長手方向に集束し、後端１ａを熱溶着や接着剤などの方法により形成したものである。
【０００７】
フィラメント２、３、４に使用している合成樹脂製の材質としては、ポリアミド（６，６−ナイロン、６−ナイロン、１２−ナイロン、６，１０−ナイロン、６、１２−ナイロンなど）と、ポリエステル（ポリエチレンテレフタレート、ポリブチレンテレフタレートなど）、アクリル（モダクリルなど）、ポリアクリロニトリル、アクリロニトリル−スチレン共重合物、アクリロニトリル−ブタジエン共重合物などを用いることができるが、使用する繊維の材質は、ポリアミドと他は何種類になっても良い。
【０００８】
この刷毛１に用いるフィラメントの径（直径Ｄ）は、製造用途又は大きさ（太さ及び長さ）によっても異なるが、本発明に係わる歯ブラシの刷毛１におけるフィラメント２は、０．２０ｍｍ〜０．２５ｍｍのものを用いることが好ましく、又、フィラメント３は、０．１６ｍｍ〜０．２１ｍｍのものを用いることが好ましい。尚、ここでいう筆毛の径とは、テーパー加工されていない部分の径をいうものである。
【０００９】
材質がポリアミド製やアクリル製のフィラメント２、４を使用する目的は、歯間部の境目の清掃能力向上と歯茎へのソフト感を良くする目的で使用するもので、又、材質がポリエステル製のフィラメント３は、使用時の弾力性の安定と耐久性を良くする目的のため使用するものである。その直径としては、フィラメント２、４は、０．２０ｍｍ〜０．２５ｍｍ程度が好ましく、フィラメント３は、０．１６ｍｍ〜０．２1ｍｍ程度が好ましい。その理由は、フィラメント２、４の直径が０．２０ｍｍに満たないと刷毛先端の耐久性が弱くなることがあり、直径が０．２５ｍｍを超えると腰が強すぎて（ハードになりすぎて）、歯茎を傷付けたりするからである。又、フィラメント３の直径が０．１６ｍｍに満たないと使用上、十分な弾力性が得られないことがあり、直径が０．２1ｍｍを超えると歯茎へのタッチがハードになり使用感が悪くなるからである。
又、刷毛１に占める使用割合としては、材質がポリアミド製やアクリル製のフィラメント２、４は、２０重量％〜８０重量％が好ましく、又、材質がポリエステルのフィラメント３は、２０重量％〜８０重量％が好ましい。その理由は、ポリアミドやアクリルのフィラメント２、４が２０重量％に満たないと使用感がハードになり、歯間部の清掃能力が悪くなることがあり、ポリアミドやアクリルのフィラメント２、４が８０重量％を超えると使用感が柔らかすぎて腰くだけし、耐久性が悪くなるからである。又、ポリエステルのフィラメント３が２０重量％に満たないとソフトになりすぎて使用感が悪くなり、耐久性が低下するからであり、ポリエステル３のフィラメント３が８０重量％を超えると使用感がハードになり、歯茎を傷つけたりするからである。
尚、材質の異なるフィラメント２、３、４は、用途、筆穂の大きさにもよるが、上記の繊維太さの範囲であれば、何種類使用しても良い。また、上記の繊維太さの範囲であれば、断面異形及び波状のクリンプのものを組み合わせても良い。
【００１０】
発明の歯ブラシを製造するに当たっては、上記２種類のフィラメントを少なくとも混毛し、ヘッドの植毛面に植毛して歯ブラシとなす訳であるが、混毛された刷毛は、材質の異なるフィラメント２、３とがお互いに均一に配列されていることが好ましい。
【００１１】
〈実用例〉
以下、実用例を説明する。図１は、本発明の歯ブラシ刷毛の使用例である。ポリアミド製のフィラメント２の具体的な材質は、６.１２ナイロンであり、他方、ポリエステル製のフィラメント３の具体的な材質はポリブチレンテレフタレートであり、アクリル製のフィラメント４の具体的な材質はモダクリルである。また、刷毛1の長さは１５．０ｍｍであり、その外径は１．７ｍｍである。この刷毛1をヘッド部５に３０本植毛・固定し歯ブラシとした。
尚、刷毛1は、先端をテーパー加工したポリアミド製のストレートなフィラメント２、並びに、先端をテーパー加工したポリエステル製のストレートなフィラメント３を用いるのが、他の条件を表１に示す。
【００１２】
【表１】
2006034647.tif 000003
【００１３】
実施例１〜１５、比較例１〜１１
表２に実施例１〜１５，並びに、比較例１〜１１の刷毛のフィラメントの配合を示す。
【００１４】
【表２】
2006034647.tif 000004
【００１５】
上記実施例１〜１５および比較例１〜１１の歯ブラシ刷毛を用いて図1のように歯ブラシを構成し、使用時の使用感、並びに、弾力性試験を行った。
【００１６】
使用時の使用感、並びに、弾力性試験
方法：任意に抽出した人に、歯ブラシの使用性についてアンケート調査を実施した。
尚、弾力性試験については、荷重も測定した
方法；レオメーターに歯ブラシをセットし、刷毛先端より５ｍｍの位置まで速度２ｃｍ／ｍｉｎの速さで押し付けたときの変形荷重を測定した。
【００１７】
【表３】
2006034647.tif 000005
【図面の簡単な説明】
【００１８】
【図１】本考案の一実施例の刷毛を装着した歯ブラシの側面図である。
【図２】フィラメントの拡大模式図である。
【図３】フィラメントの拡大模式図である。
【符号の説明】
【００１９】
１      刷毛
２      ポリアミド製のフィラメント
３      ポリエステル製のフィラメント
４      アクリル製のフィラメント
５      ヘッド部
６      軸
【図１】
2006034647.tif 000006
【図２】
2006034647.tif 000007
【図３】
2006034647.tif 000008